(57)【要約】      （修正有）【課題】レンズの中心をこすり傷から守ることが可能なテンプルを備えた眼鏡を提供する。【解決手段】眼鏡１００は、フェイス１１０およびテンプル１２０、１３０を具備している。フェイス１１０は、外縁を含む外面を有する。フェイス１１０はまた、第１の端部分および第１のレンズ開口部を有する。外縁は第１の端部分に近接している。テンプル１２０、１３０は、内面を規定する部分を有する。テンプル１２０，１３０は、フェイスの第１の端部分に枢結される。テンプル部分の内面が、妨げられることなく、フェイス１１０の外縁を越えて移動することができるように、テンプルは、折り畳んだ構成と開いた構成との間で可動である。【選択図】図１
2010204684.tif 000002
【特許請求の範囲】
【請求項１】
弓形部分および第１の端部分を有するフェイスと、
前記フェイス内部に配置され、内面および外面を有し、中央部分を有するレンズと、
弓形部分を有し、前記フェイスの前記第１の端部分に連結され、折り畳んだ構成と開いた構成との間で可動であるテンプルであって、前記折り畳んだ構成において、前記レンズの外面に実質的に隣接し、かつ前記レンズの前記中央部分に実質的に位置するテンプルと、を具備する装置。
【請求項２】
前記テンプルが枢軸を中心にした回転に関して、前記フェイスの前記第１の端部分に枢結され、前記枢軸が前記枢軸に隣接する前記フェイス部分の中心線に実質的に垂直である請求項１に記載の装置。
【請求項３】
前記テンプルが、前記フェイスの前記第１の端部分に摺動可能に連結される請求項１に記載の装置。
【請求項４】
前記フェイスの前記弓形部分が独自の弧度を有し、前記テンプルの前記弓形部分が独自の弧度を有し、前記フェイス部分の前記弧度が前記テンプルの前記弓形部分の前記弧度と実質的に対応する請求項１に記載の装置。
【請求項５】
前記テンプルを実質的に変形することなく、前記テンプルが前記折り畳んだ構成と開いた構成との間で可動である請求項１に記載の装置。
【請求項６】
前記テンプルが前記折り畳んだ構成を成しているとき、前記テンプルが実質的に変形しない請求項１に記載の装置。
【請求項７】
外縁を含む外面を有し、第１の端部分および第１のレンズ開口部を有するフェイスであって、前記外縁が前記第１の端部分に近接する、フェイスと、
内面を規定する部分を有し、前記フェイスの前記第１の端部分に連結され、折り畳んだ構成と開いた構成との間で可動である第１のテンプルと、を有し、前記第１のテンプル部分の前記内面が、妨害されることなく、かつ前記テンプルを実質的に変形することなく、前記フェイスの前記外縁を越えて移動することができ、
前記折り畳んだ構成における前記第１のテンプルが、前記フェイスの前記外面に実質的に隣接し、かつ前記第１のレンズ開口部の中央領域に実質的に位置している眼鏡用のフレーム。
【請求項８】
前記第１のテンプルが、前記フェイスの前記第１の端部分に枢結される請求項７に記載のフレーム。
【請求項９】
前記第１のテンプルが、前記フェイスの前記第１の端部分に摺動可能に連結される請求項７に記載のフレーム。
【請求項１０】
前記フェイスの第２の端部分に連結され、前記フェイスの前記第２の端部分に連結され、折り畳んだ構成と開いた構成との間で可動である第２のテンプルをさらに含み、
前記折り畳んだ構成における前記第２のテンプルが、前記フェイスの前記外面に実質的に隣接し、かつ前記フェイスの第２のレンズ開口部の中央領域に実質的に位置している請求項７に記載のフレーム。
【請求項１１】
前記第１のテンプルが凹形の内面および凸形の外面を有する境界部分を有し、前記第２のテンプルが凹形の内面および凸形の外面を有する境界部分を有し、前記第１のテンプルおよび前記第２のテンプルが前記折り畳んだ構成を成しているときに、前記第１のテンプル境界部分および前記第２のテンプル境界部分が実質的に平行で重なっている請求項１０に記載のフレーム。
【請求項１２】
前記第１のテンプルおよび前記第２のテンプルが前記折り畳んだ構成を成しているときに、前記第１のテンプルが前記第２のテンプル境界部分の一部と実質的に平行な部分を有する請求項１０に記載のフレーム。
【請求項１３】
前記第１のテンプルおよび前記第２のテンプルが前記折り畳んだ構成を成しているときに、前記第１のテンプル境界が前記第２のテンプル境界部分の一部の上に交差する部分を有する請求項１０に記載のフレーム。
【請求項１４】
前記レンズ開口部内部で前記フェイスに連結され、内面および外面を有し、中央領域を有する第１のレンズをさらに含み、前記折り畳んだ構成における前記テンプルが、前記第１のレンズの前記外面に実質的に隣接し、かつ前記第１のレンズの中央領域に実質的に位置している請求項７に記載のフレーム。
【請求項１５】
前記テンプルが枢軸を中心にした回転に関して、前記フェイスの前記第１の端部分に枢結され、前記枢軸と前記第１の端部分の中心線との間で規定される第１の角度が、前記枢軸と前記テンプル部分の中心線との間で規定される第２の角度より小さい請求項７に記載のフレーム。
【請求項１６】
前記第１の端部分が独自の弧度を有し、
前記テンプル部分が独自の弧度を有し、
前記第１の端部分の前記弧度が前記テンプル部分の前記弧度より小さい請求項７に記載のフレーム。
【請求項１７】
独自の弧度を有する部分を有し、第１の端部分および第２の端部分を有するフェイスと、
前記フェイス内部に配置され、内面および外面を有し、中央部分を有する第１のレンズと、
独自の弧度を有する部分を有し、前記フェイスの前記第１の端部分に連結される第１のテンプルと、
独自の弧度を有する部分を有し、前記フェイスの前記第２の端部分に連結される第２のテンプルと、を具備し、
前記第１のテンプルおよび前記第２のテンプルが、折り畳んだ構成と開いた構成との間で可動であり、
前記フェイス部分の前記弧度、前記第１のテンプル部分の前記弧度、前記第２のテンプル部分の前記弧度が、実質的に対応している装置。
【請求項１８】
前記第１のテンプルが前記フェイスの前記第１の端部分に枢結され、
前記第２のテンプルが前記フェイスの前記第２の端部分に枢結される請求項１７に記載の装置。
【請求項１９】
前記第１のテンプルが前記フェイスの前記第１の端部分に摺動可能に連結され、
前記第２のテンプルが前記フェイスの前記第２の端部分に摺動可能に連結される請求項１７に記載の装置。
【請求項２０】
前記フェイス内部に配置され、内面および外面を有し、中央部分を有する第２のレンズをさらに含み、
前記折り畳んだ構成における前記第２のテンプルが、前記第２のレンズの前記外面に実質的に隣接し、かつ前記第２のレンズの中央部分に実質的に位置している請求項１７に記載の装置。
【請求項２１】
前記折り畳んだ構成における前記第１のテンプルが、前記第１のレンズの前記外面に実質的に隣接し、かつ前記第１のレンズの中央部分に実質的に位置している請求項１７に記載の装置。
【請求項２２】
第１の端部分および前記第１の端部分に隣接するレンズ境界部分を有するフェイスであって、前記フェイスの前記レンズ境界部分が内面および外面を有し、高い構造物が前記フェイスの前記レンズ境界部分の前記外面に配置される、フェイスと、
前記フェイスの前記レンズ境界部分に関して配置され、内面および外面を有し、中央部分を有するレンズと、
前記フェイスの前記第１の端部分に連結され、折り畳んだ構成と開いた構成との間で可動であり、前記折り畳んだ構成において、前記フェイスの前記外面に前記フェイスの前記高い構造物に隣接するように取り外し可能に保持されるテンプルとを具備し、
前記折り畳んだ構成における前記テンプルが、前記レンズの前記外面に実質的に隣接し、かつ前記レンズの中央部分に実質的に位置している装置。
【請求項２３】
前記フェイスの前記レンズ境界部分の前記外面がブリッジ部分を含み、
前記フェイスの前記高い構造物が前記フェイスの前記ブリッジ部分に配置される請求項２２に記載の装置。
【請求項２４】
前記フェイスの前記高い構造物が、前記レンズの前記中央部分の下で前記フェイスの前記レンズ境界部分に配置される請求項２２に記載の装置。
【請求項２５】
前記フェイスの前記高い構造物が、前記レンズの前記中央部分の上で前記フェイスの前記レンズ境界部分に配置される請求項２２に記載の装置。
【請求項２６】
前記フェイスの前記高い構造物が、前記フェイスの前記第１の端部分付近で前記フェイスの前記レンズ境界部分に配置される請求項２２に記載の装置。
【請求項２７】
第１の接触部分および第２の接触部分を含む第１の端部分を有するフェイスと、
枢軸を中心にして前記フェイスの前記第１の端部分に枢結され、折り畳んだ構成と開いた構成との間で可動であるテンプルであって、前記テンプルの一部が開いた構成において前記フェイスの前記第１の接触部分に接触し、前記テンプルの一部が前記折り畳んだ構成において前記フェイスの前記第２の接触部分に接触する、テンプルと、
前記枢軸を中心にした回転に関して前記フェイスおよび前記テンプルに連結されるテンション部材と、を具備し、
前記折り畳んだ構成における前記テンプルが、第１のレンズの前記外面に実質的に隣接し、かつ前記第１のレンズの中央部分に実質的に位置している装置。
【請求項２８】
前記フェイスの前記第１の接触部分が前記枢軸の第１の部分に実質的に平行であり、
前記フェイスの前記第２の接触部分が前記枢軸の第１の部分とは異なる前記枢軸の第２の部分に実質的に平行である請求項２７に記載の装置。
【請求項２９】
前記テンプルの一部が前記フェイスの前記第２の接触部分に接触しているときより、前記テンプルの一部が前記フェイスの前記第１の接触部分に接触しているときの方が、前記テンション部材の圧縮が小さい請求項２７に記載の装置。
【請求項３０】
フェイス、レンズおよびテンプルを含み、前記フェイスが外縁を含む外面を有し、かつ第１の端部分を有し、前記外縁が前記第１の端部分に近接し、前記レンズが前記フェイスに連結され、かつ内面および外面を有し、かつ中央部分を有し、前記テンプルが内面を規定する部分を含み、かつ前記フェイスの前記第１の端部分に枢結される装置を折り畳んだ構成と開いた構成との間で移動するための方法であって、
前記フェイスの前記第１の端部分を中心にして、妨げられることなく、かつ前記テンプルを実質的に変形することなく、前記フェイスの前記外縁を越えて前記テンプルを枢動するステップ、および
前記レンズの実質的に前記中央部分に、前記レンズの前記外面に実質的に隣接するように、前記テンプルを配置するステップを含む方法。
【請求項３１】
前記フェイスの第２の端部分を中心にして、妨げられることなく、前記フェイスの第２の外縁を越えて第２のテンプルを枢動するステップ、および
前記フェイスの外面に実質的に隣接するように前記第２のテンプルを配置し、第２のテンプル境界部分が第１のテンプル境界部分に実質的に平行であるようにするステップをさらに含む請求項３０に記載の方法。
【請求項３２】
前記フェイスの前記第２の端部分を中心にして、妨げられることなく、前記フェイスの第２の外縁を越えて第２のテンプルを枢動するステップ、および
前記フェイスの外面に実質的に隣接するように前記第２のテンプルを配置し、第２のテンプル境界部分が第１のテンプル境界部分と交差するようにするステップをさらに含む請求項３０に記載の方法。
【請求項３３】
前記フェイスの第２の端部分を中心にして、妨げられることなく、前記フェイスの第２の外縁を越えて第２のテンプルを枢動するステップであって、前記第２のテンプルが凹形の内面の境界部分を有し、前記第１のテンプルが凸形の外面の境界部分を有する、ステップ、および
前記フェイスの外面に実質的に隣接するように前記第２のテンプルを配置し、第２のテンプル境界部分が第１のテンプル境界部分と重なるようにするステップをさらに含む請求項３０に記載の方法。
【請求項３４】
フェイス、レンズおよびテンプルを含み、前記フェイスが弓形部分および第１の端部分を有し、前記レンズが前記フェイスに配置され、かつ内面、外面および中央部分を有し、前記テンプルが弓形部分を有し、かつ前記フェイスの前記第１の端部分に枢結される装置を折り畳んだ構成と開いた構成との間で移動するための方法であって、
折り畳んだ構成から開いた構成に前記テンプルを前記フェイスの第１の端部分の回りに枢動するステップ、および
前記折り畳んだ構成において、前記レンズの前記外面に実質的に隣接し、前記レンズの実質的に前記中央部分に前記テンプルを配置するステップを含む方法。
【請求項３５】
前記テンプルが、前記枢軸に隣接する前記フェイス部分の中心線に対して実質的に垂直である枢軸を中心にして枢動する請求項３４に記載の方法。
【請求項３６】
前記フェイスの前記弓形部分が独自の弧度を有し、前記テンプルの前記弓形部分が独自の弧度を有し、前記フェイス部分の前記弧度が前記テンプルの前記弓形部分の前記弧度と実質的に対応する請求項３４に記載の方法。
【請求項３７】
前記テンプルを実質的に変形することなく、前記テンプルが前記開いた構成から前記折り畳んだ構成に可動である請求項３４に記載の方法。
【請求項３８】
前記テンプルが前記折り畳んだ構成を成しているとき、前記テンプルが実質的に変形されない請求項３４に記載の方法。
【請求項３９】
フェイス、レンズおよびテンプルを含み、前記フェイスが弓形部分および第１の端部分を有し、前記レンズが前記フェイス内部に配置され、かつ内面、外面および中央部分を有し、前記テンプルが弓形部分を有し、かつ前記フェイスの前記第１の端部分に摺動可能に連結される装置を折り畳んだ構成と開いた構成との間で移動するための方法であって、
開いた構成から折り畳んだ構成に前記フェイスの前記第１の端部分を通って前記テンプルを摺動するステップ、および
前記折り畳んだ構成において、前記レンズの前記外面に実質的に隣接し、かつ前記レンズの実質的に前記中央部分に前記テンプルを配置するステップを含む方法。
【請求項４０】
眼鏡用のフレーム（１００）であって、
第１の端部分（１１１）および第１のレンズ開口部（１５０）を有するフェイス（１１０）であって、前記フェイス（１１０）の外縁を含む外面は、前記フレーム（１００）が所期の通り用いられるとき、利用者の頭部から離れた方の面および縁として規定され、前記外縁が前記第１の端部分（１１１）に近接している、フェイス（１１０）と、
第１のテンプル（１３０）であって、前記テンプル（１３０）の内面は、前記フレーム（１００）が所期の通り用いられるとき、利用者の頭部に面する面として規定され、前記第１のテンプル（１３０）は、前記フェイス（１１０）の前記第１の端部分（１１１）と連結され、折り畳んだ構成と開いた構成との間で可動である、第１のテンプル（１３０）とを含み、
前記折り畳んだ構成における前記第１のテンプル（１３０）が、前記フェイス（１１０）の前記外面に実質的に隣接している眼鏡用のフレーム（１００）。
【請求項４１】
前記折り畳んだ構成における前記第１のテンプル（１３０）が、前記第１のレンズ開口部の中央領域に実質的に位置している請求項４０に記載のフレーム（１００）。
【請求項４２】
妨げられることなく、かつ前記テンプル（１３０）を実質的に変形することなく、前記第１のテンプル（１３０）の前記内面が、前記フェイス（１１０）の前記外縁を越えて移動することができる請求項４０または４１に記載のフレーム（１００）。
【請求項４３】
前記フェイス（１１０）が弓形部分を有し、
前記テンプル（１３０）が弓形部分を有する、請求項４０〜４２のいずれか１項に記載のフレーム（１００）。
【請求項４４】
前記フェイス（１１０）の前記弓形部分が独自の弧度を有し、前記テンプル（１３０）の前記弓形部分が独自の弧度を有し、前記フェイス（１１０）の前記弓形部分の前記弧度が前記テンプル（１３０）の前記弓形部分の前記弧度と実質的に対応する、請求項４０〜４３のいずれか１項に記載のフレーム（１００）。
【請求項４５】
前記第１のテンプル（１３０）が、前記フェイス（１１０）の前記第１の端部分（１１１）に枢結される、請求項４０〜４４のいずれか１項に記載のフレーム（１００）。
【請求項４６】
前記第１のテンプル（１３０）が枢軸（１３５）を中心にした回転に関して、前記フェイス（１１０）の前記第１の端部分（１１１）に枢結され、前記枢軸（１３５）が前記枢軸（１３５）に隣接する前記フェイス部分の中心線に実質的に垂直であり、前記テンプルを前記折り畳んだ位置まで折り畳むようになっている、請求項４０〜４５のいずれか１項に記載のフレーム（１００）。
【請求項４７】
前記第１のテンプル（１３０）が、前記フェイス（１１０）の前記第１の端部分（１１１）に摺動可能に連結される、請求項４０〜４６のいずれか１項に記載のフレーム（１００）。
【請求項４８】
前記フェイス（１１０）の第２の端部分（１１２）に連結され、前記フェイス（１１０）の前記第２の端部分（１１２）に連結され、折り畳んだ構成と開いた構成との間で可動である第２のテンプル（１２０）をさらに含み、
前記折り畳んだ構成における前記第２のテンプル（１２０）が、前記フェイス（１１０）の前記外面に実質的に隣接し、前記フェイス（１１０）の第２のレンズ開口部（１４０）の中央領域に実質的に位置している、請求項４０〜４７のいずれか１項に記載のフレーム（１００）。
【請求項４９】
前記第１のテンプル（１３０）が凹形の内面および凸形の外面を有する境界部分を有し、前記第２のテンプル（１２０）が凹形の内面および凸形の外面を有する境界部分を有し、前記第１のテンプル（１３０）および前記第２のテンプル（１２０）が前記折り畳んだ構成を成しているときに、前記第１のテンプル境界部分および前記第２のテンプル境界部分が実質的に平行で重なっている、請求項４８に記載のフレーム（１００）。
【請求項５０】
前記フェイス（１１０）の前記弓形部分の前記弧度、前記第１のテンプル（１３０）の前記弓形部分の前記弧度、前記第２のテンプル（１２０）の前記弓形部分の前記弧度が、実質的に対応している、請求項４８〜４９のいずれか１項に記載のフレーム（１００）。
【請求項５１】
前記第１のテンプル（１３０）および前記第２のテンプル（１２０）が前記折り畳んだ構成を成しているときに、前記第１のテンプル（１３０）が前記第２のテンプル境界部分の一部と実質的に平行である部分を有する、請求項４８〜５０のいずれか１項に記載のフレーム（１００）。
【請求項５２】
前記第１のテンプル（１３０）および前記第２のテンプル（１２０）が前記折り畳んだ構成を成しているときに、前記第１のテンプル境界が前記第２のテンプル境界部分の一部の上に交差する部分を有する、請求項４８〜５０のいずれか１項に記載のフレーム（１００）。
【請求項５３】
前記レンズ開口部（１５０）内部に前記フェイス（１１０）に連結される少なくとも部分的に透明であり、内面および外面を有し、中央領域を有する第１の物体をさらに含み、前記折り畳んだ構成にある前記テンプル（１３０）が前記第１の物体の前記外面に実質的に隣接し、前記第１の物体の前記中央領域に実質的に位置する、請求項４０〜５２のいずれか１項に記載のフレーム（１００）。
【請求項５４】
前記第１の物体が第１のレンズである、請求項５３記載のフレーム（１００）。
【請求項５５】
前記テンプル（１３０）が枢軸（１３５）を中心にした回転に関して、前記フェイス（１１０）の前記第１の端部分（１１１）に枢結され、
前記枢軸（１３５）と前記第１の端部分（１１１）の線分（１１９’）との間で規定される第１の角度（ｚ’）が、前記枢軸（１３５）とテンプル部分の線分（１３９）との間で規定される第２の角度（ｙ’）に等しいかまたは小さく、両方の線分（１１９’、１３９）が実質的に等しい長さである、請求項４０〜５４のいずれか１項に記載のフレーム（１００）。
【請求項５６】
前記第１の端部分（１１１）が独自の弧度を有し、
前記テンプル部分（１３０）が独自の弧度を有し、
前記第１の端部分（１１１）の前記弧度が前記テンプル部分（１３０）の前記弧度と等しいかまたは小さい、請求項４０〜５５のいずれか１項に記載のフレーム（１００）。
【請求項５７】
前記フェイス（１１０）内部に配置され、内面および外面を有し、中央領域を有する第２の物体さらに含み、前記折り畳んだ構成にある前記第２のテンプル（１２０）が前記第２の物体の前記外面に実質的に隣接し、前記第２の物体の前記中央部分に実質的に位置する、請求項４０〜５６のいずれか１項に記載のフレーム（１００）。
【請求項５８】
前記第２の物体が第２のレンズである、請求項５７記載のフレーム（１００）。
【請求項５９】
前記折り畳んだ構成における前記第１のテンプル（１３０）が、前記第１のレンズの前記外面に実質的に隣接し、前記第１のレンズの前記中央部分に実質的に位置している請求項５４〜５８のいずれか１項に記載のフレーム（１００）。
【請求項６０】
前記フェイス（１１０）が、前記第１の端部分（１１１）および前記第１の端部分（１１１）に隣接するレンズ境界部分を有し、前記フェイス（１１０）の前記レンズ境界部分が内面および外面を有し、高い構造物が前記フェイス（１１０）の前記レンズ境界部分の前記外面に配置され、
前記レンズが、前記フェイス（１１０）の前記レンズ境界部分に関して配置され、内面、外面、および中央部分を有し、
前記テンプル（１３０）が、前記フェイス（１１０）の前記第１の端部分（１１１）に連結され、前記折り畳んだ構成と前記開いた構成との間で可動であり、前記折り畳んだ構成において、前記フェイス（１１０）の前記外面にある前記フェイス（１１０）の前記高い構造物に隣接するように取り外し可能に保持され、
前記折り畳んだ構成における前記テンプル（１３０）が、前記レンズの前記外面に実質的に隣接し、かつ前記レンズの前記中央部分に実質的に位置している、請求項４０〜５９のいずれか１項に記載のフレーム（１００）。
【請求項６１】
前記フェイス（１１０）の前記レンズ境界部分の前記外面がブリッジ部分を含み、
前記フェイス（１１０）の前記高い構造物が前記フェイス（１１０）の前記ブリッジ部分に配置される、請求項６０に記載のフレーム（１００）。
【請求項６２】
前記フェイス（１１０）の前記高い構造物が、前記レンズの前記中央部分の下で前記フェイス（１１０）の前記レンズ境界部分に配置される、請求項６０または６１に記載のフレーム（１００）。
【請求項６３】
前記フェイス（１１０）の前記高い構造物が、前記レンズの前記中央部分の上で前記フェイス（１１０）の前記レンズ境界部分に配置される、請求項６０または６１に記載のフレーム（１００）。
【請求項６４】
前記フェイス（１１０）の前記高い構造物が、前記フェイス（１１０）の前記第１の端部分付近で前記フェイス（１１０）の前記レンズ境界部分に配置される、請求項６０〜６３のいずれか１項に記載のフレーム（１００）。
【請求項６５】
前記第１の端部分（１１１）が第１の接触部分および第２の接触部分を含み、
前記テンプル（１３０）の一部が、前記開いた構成において前記フェイスの前記第１の接触部分に接触し、
前記テンプル（１３０）の一部が、前記折り畳んだ構成において前記フェイス（１１０）の前記第２の接触部分に接触する、請求項４０〜６４のいずれか１項に記載のフレーム（１００）。
【請求項６６】
前記フェイス（１１０）の前記第１の接触部分が、前記枢軸（１２５、１３５）の第１の部分に実質的に平行であり、
前記フェイス（１１０）の前記第２の接触部分が、前記枢軸（１２５、１３５）の第１の部分とは異なる前記枢軸（１２５、１３５）の第２の部分に実質的に平行である、請求項６５に記載のフレーム（１００）。
【請求項６７】
前記枢軸（１２５、１３５）を中心にした回転に関して前記フェイス（１１０）および前記テンプル（１２０、１３０）に連結されるテンション部材（８６５）を含む、請求項４０〜６６のいずれか１項に記載のフレーム（１００）。
【請求項６８】
前記テンプル（１２０、１３０）の一部が前記フェイス（１１０）の前記第２の接触部分に接触しているときより、前記テンプル（１２０、１３０）の一部が前記フェイス（１１０）の前記第１の接触部分に接触しているときの方が、前記テンション部材（８６５）の圧縮が小さい、請求項６７に記載のフレーム（１００）。
【請求項６９】
折り畳んだ構成と開いた構成との間で請求項４０〜６８のいずれか１項に記載のフレーム（１００）を移動するための方法であって、
前記フェイス（１１０）の前記第１の端部分（１１１）を中心にして、妨げられることなく、かつ前記テンプル（１３０）を実質的に変形することなく、前記フェイス（１１０）の前記外縁を越えて前記テンプル（１３０）を枢動または摺動するステップ、および
前記レンズの実質的に前記中央部分に、および前記フェイスの前記外面に実質的に隣接するように、前記テンプル（１３０）を配置するステップを含む方法。
【請求項７０】
前記フェイス（１１０）の前記第２の端部分（１１２）を中心にして、妨げられることなく、前記フェイス（１１０）の第２の外縁を越えて第２のテンプル（１２０）を枢動または摺動するステップ、および
前記フェイス（１１０）の外面に実質的に隣接するように前記第２のテンプル（１２０）を配置し、前記第２のテンプル境界部分が第１のテンプル（１３０）境界部分に実質的に平行であるようにするステップをさらに含む、請求項６９に記載の方法。
【請求項７１】
前記フェイス（１１０）の前記第２の端部分（１１２）を中心にして、妨げられることなく、前記フェイス（１１０）の第２の外縁を越えて第２のテンプル（１２０）を枢動または摺動するステップ、および
前記フェイス（１１０）の外面に実質的に隣接するように前記第２のテンプル（１２０）を配置し、前記第２のテンプル境界部分が第１のテンプル境界部分に実質的に交差するようにするステップをさらに含む請求項６９に記載の方法。
【請求項７２】
前記フェイス（１１０）の外面に実質的に隣接するように前記第２のテンプル（１２０）を配置し、第２のテンプル境界部分が第１のテンプル境界部分と実質的に重なるようにするステップをさらに含み、
前記第２のテンプル（１２０）が凹形の内面の境界部分を有し、前記第１のテンプル（１３０）が凸形の外面の境界部分を有する、請求項７０または７１に記載の方法。
【請求項７３】
枢軸（１２５、１３５）に隣接する前記フェイス部分の中心線に実質的に垂直である枢軸（１２５、１３５）を中心にして前記テンプル（１２０、１３０）を枢動するステップをさらに含む、請求項６９〜７２のいずれか１項に記載の方法。
【発明の詳細な説明】
【技術分野】
【０００１】
本発明は一般的に、たとえばサングラスなどの眼鏡に関する。さらに詳細には、本発明は、テンプルがレンズの前に回転することができる、回転可能なテンプルを有する眼鏡に関する。
【背景技術】
【０００２】
眼鏡のレンズは一般に、たとえば利用者にとってレンズを通して遮られないような眺めを維持するために、こすり傷から保護することが必要である。たとえば偏光選択コーティングなど、コーティングされているレンズの場合には、こすり傷から保護することが特に望ましい。このような保護形態としては、たとえば、収納ケースおよび掻き傷防止レンズコーティングなどが挙げられる。
【０００３】
しかし、このような保護形態は、効果に制限があった。たとえば、収納ケースは、レンズがケース内に収納されているときに、こすり傷から眼鏡を保護することができるに過ぎない。これは、たとえば、面を下にして眼鏡を一時的に置いた場合には、レンズをこすり傷から守ることはできない。同様に、掻き傷防止レンズコーティングは、そのような状況において限定された保護を提供する。
【０００４】
眼鏡フレームの前方にテンプルを移動することができる眼鏡設計が提案されている。たとえば、ナンニーニ（Ｎａｎｎｉｎｉ）による米国特許第５，６３８，１４６号明細書は、レンズと同一の面に折り畳むことができるテンプルを有する折り畳み式アイウェアを開示している。ナンニーニ（Ｎａｎｎｉｎｉ）のアイウェアは、テンプルごとに２つのヒンジを用い、１つのヒンジがテンプルを３６０°回転することができるようになっている。テンプルは、アイウェアが折り畳まれるときに必要な収納空間を削減するように折り畳むことができる。
【０００５】
バンダービーク（Ｖａｎｄｅｒｂｅｅｋ）による米国特許第３，３６１，５１５号明細書は、対向する方向に折り畳まれているテンプル部品を有するアイウェアであり、一方のテンプルが眼鏡の前方に畳まれ、他方のテンプルが眼鏡の後方に畳まれるアイウェアを開示している。バンダービーク（Ｖａｎｄｅｒｂｅｅｋ）のヒンジは、折り畳んだときのテンプルが、折り畳まれていないときの位置に平行であるように、テンプルを２７０°枢動する（pivot）ことができる。これに対応して、レンズがテンプルによって最小限に遮断されるように、眼鏡の前方に折り畳まれる１つのテンプルは、眼鏡の上部バーに平行である。
【０００６】
このような公知の眼鏡設計には、複数の欠点がある。これらは一般に、収納中に必要な空間の大きさを最小限に抑えるように設計されているが、両方のレンズの前側の遮断をわずかまたは全くないようにしている。このような公知の眼鏡設計は、テンプルごとに２つのヒンジを必要とする。さらに、レンズの外側（または前側）の中心部分に隣接してテンプルを配置することができない。レンズの中心部分は、利用者がレンズを通して見る可能性が最も高い部分であり、一般的なレンズの曲率のために、レンズの中心をこすり傷から守る必要性が最も高い部分である。
【発明の開示】
【発明が解決しようとする課題】
【０００７】
したがって、テンプルが眼鏡フェイスの外側（または前側）に回転することができる、回転可能なテンプルを有する眼鏡が必要とされる。
【課題を解決するための手段】
【０００８】
眼鏡は、フェイスおよびテンプルを具備している。フェイスは、外縁を含む外面を有する。フェイスはまた、第１の端部分および第１のレンズ開口部を有する。外縁は第１の端部分に近接している。テンプルは、内面を規定する部分を有する。テンプルは、フェイスの第１の端部分に枢結される（pivotably coupled）。テンプル部分の内面が、妨げられることなく、フェイスの外縁を越えて移動することができるように、テンプルは、折り畳んだ構成と開いた構成との間で可動である。テンプルが折り畳まれている（folded）ときには、折り畳むことができる構成（in a collapsed configuration）にあることを指し、テンプルが折り畳まれていない（unfolded）ときには、開いた構成（in an uncollapsed configuration）にあることを指す。
【発明を実施するための最良の形態】
【０００９】
本発明の実施形態は、テンプルを眼鏡フェイスの外面（すなわち前面）に回転することができる、回転可能なテンプルを有する眼鏡に関する。眼鏡フェイスは、フレームの一部であり、眼鏡のための構造を提供し、テンプルが一般に取付けられている。このフェイスは、たとえば、内部に１枚以上のレンズを保持することができる構造とすることができる。あるいは、フェイスは、シールドのように構成される１枚のレンズであってもよい。そのような実施形態では、テンプルをレンズ／フェイスに直接取付けることができる。別の代替例では、フェイスは、たとえば、鼻当てによって連結される２枚のレンズであってもよい。この実施形態では、テンプルはそれぞれ、個別のレンズに直接取付けることができる。
【００１０】
本発明者らは、テンプルが、（折り畳んだ構成における）眼鏡フェイスの外面への回転時に、レンズの外面に実質的に隣接し、実質的にレンズの中心部分に配置されるように眼鏡を構成することによって、レンズをこすり傷から守ることができることに気付いた。したがって、多くの実施形態は、たとえば、折り畳んだ構成において、少なくとも１つのテンプルが、少なくとも１枚のレンズの外面に実質的に隣接し、実質的にレンズの中心部分に配置することができる眼鏡に関する。他の実施形態は、実質的に対応する特有の弧度（degree of curvature）を有するテンプルおよび眼鏡フェイスに関する。たとえば、そのような実施形態において、テンプルおよびフェイスは、上面から見て円形の形状を成すことができる。
【００１１】
他の実施形態は、テンプルをフェイスに枢結することができるヒンジ機構に関する。たとえば、一実施形態において、ヒンジは、折り畳んだ構成のときにテンプルを眼鏡フェイスの一部に接触させることができ、開いた構成のときにテンプルを眼鏡フェイスの異なる部分に接触させることができる、テンション部材（a tension member）を具備している。
【００１２】
図１は、本発明の実施形態による、開いた構成の眼鏡の斜視図を示している。眼鏡１００は、フェイス１１０と、テンプル１２０と、テンプル１３０と、レンズ１４０と、レンズ１５０と、を具備している。したがって、眼鏡フレームは、フェイス１１０、テンプル１２０およびテンプル１３０を含む。図１に示されているように、眼鏡１００は、利用者が着用することができる、開いた構成を成している。フェイス１１０は、端部分１１１、１１２を具備している。テンプル１３０はフェイス１１０の端部分１１１に枢結され、テンプル１２０はフェイス１１０の端部分１１１に枢結される。したがって、テンプル１２０、１３０は、可動であり、それぞれフレーム１１０の外面に枢軸（pivot axis）１２５、１３５を中心にして枢動することができる。枢動連結（pivot connection）については、以下にさらに詳細に述べる。
【００１３】
図２〜４はそれぞれ、眼鏡１００の上面図、側面図および正面図を示している。フェイス１１０およびテンプル１２０、１３０はそれぞれ、独自の弧度を有する。「弧度」なる語は、フェイス１１０およびテンプル１２０、１３０などの弓形部材（またはその部分）が湾曲している程度を示すために本願明細書では用いられる。たとえば、図２に示されているように、フェイス１１０およびテンプル１２０、１３０は、連続的なほぼ円形を成している。そのような場合には、弧度は、上面から見てそれらの部材のそれぞれに関して曲率半径に関連している。あるいは、弧度は、部材全体にわたって均一な曲率半径を持っていない場合に、部材が湾曲される相対的な程度に関連することができる。
【００１４】
テンプル１２０、１３０がフェイス１１０の外面に配置されるように、フェイス１１０の端部分１１１、１１２の周囲でテンプル１２０、１３０を枢動させて回転する（pivotably rotated）ことができる。テンプル１２０、１３０を、フェイス１１０の外面に、レンズ１４０、１５０に隣接するように配置することができることによって、テンプル１２０、１３０は、（たとえば、眼鏡１００を面に伏せて置いた場合または下へ落とした場合）レンズ１４０、１５０を守るように機能することができる。言い換えれば、レンズ１４０、１５０の上にテンプル１２０、１３０を配置することによって、レンズはたとえば眼鏡が置かれる可能性がある実質的に平たい面に接触することができないため、こすり傷または損傷からレンズ１４０、１５０を守ることができる。さらに、テンプル１２０、１３０を、フェイス１１０の外面に、レンズ１４０、１５０に隣接するように配置することができることによって、たとえば、収納中および折り畳んだ構成で使用中でない状態の間、このような眼鏡は必要な量の体積を削減することができる。
【００１５】
図２に示したように、角度ｙは、枢軸１２５と枢軸１２５からテンプル１２０の点までの線分１２９との間で規定される。角度ｚは、枢軸１２５と枢軸１２５からフェイス１１０の点までの線分１１９との間で規定される。尚、線分１２９の長さは、線分１１９の長さに実質的に等しい。同様に、角度ｙ’は、枢軸１３５と枢軸１３５からテンプル１３０の点までの線分１３９との間で規定される。角度ｚ’は、枢軸１３５と枢軸１２５（１３５）からフェイス１１０の点までの線分１１９’との間で規定される。尚、線分１３９の長さは、線分１１９’の長さと実質的に等しい。
【００１６】
この実施形態において、角度ｙ、ｙ’、ｚ、ｚ’は、実質的に等しい。したがって、テンプルの一部が湾曲される部分の程度は、フェイスの類似の部分に実質的に匹敵する。テンプル１２０、１３０の弧度がフェイス１１０の弧度に実質的に等しいため、テンプル１２０、１３０、折り畳んだ構成のときに、フェイス１１０の外面に実質的に隣接している。別の実施形態において、テンプルおよびフェイスの弧度は実質的に等しくないのに対し、角度ｙ、ｙ’、ｚ、ｚ’は、実質的に等しくてもよい。さらに別の実施形態において、テンプルがフェイスの外側に配置されるように変形されることができる場合には、角度ｙ、ｙ’、ｚ、ｚ’は、実質的に等しい必要はない。
【００１７】
図５〜８はそれぞれ、折り畳んだ構成における眼鏡１００の正面図、上面図、側面図および斜視図を示している。図５に示されているように、レンズ１４０、１５０の中央領域１４１、１５１にテンプル１２０、１３０をそれぞれ配置することができる。テンプル１２０、１３０は、一方が他方の上に重なるように配置されてもよい。たとえば、図５に示されているように、テンプル１３０はテンプル１２０に重なる。他の構成では、テンプル１２０がテンプル１３０に重なることができる。
【００１８】
眼鏡が折り畳んだ構成を成している間、テンプルは異なる構成に配置されていてもよい。たとえば、図９〜１２はそのような１つの代替のテンプル構成を示し、図１３〜１６は別の代替のテンプル構成を示している。
【００１９】
図９〜１２はそれぞれ、本発明の別の実施形態による、折り畳んだ構成の眼鏡の正面図、上面図、側面図および斜視図を示している。
【００２０】
眼鏡２００は、テンプル２２０と、テンプル２３０と、フェイス２１０と、レンズ２４０と、レンズ２５０と、を具備している。図９に示されているように、フェイス２００が折り畳んだ構成を成している間、テンプル２２０、２３０が互いに実質的に平行であり、レンズ２４０、２５０を横切るように、テンプル２２０、２３０を配置することができる。図９はテンプル２３０の上に配置されているテンプル２２０を図示しているが、テンプル２３０がテンプル２２０の上に配置されるように、テンプルは異なる配置であってもよい。
【００２１】
図９に示されているように、テンプル２２０は、レンズ２５０の中心領域２５１の一部の上に配置されることに加えて、レンズ２４０の中心領域２４１の上に配置されることができる。同様に、テンプル２３０は、レンズ２５０の中心領域２５１の上に配置されることができ、さらに、レンズ２４０の中心領域２４１の上にも配置される。
【００２２】
図１３は、本発明のさらに別の実施形態による折り畳んだ構成の眼鏡の正面図を示している。図１４は、図１３に示された眼鏡の上面図を示している。図１５は、図１３に示された眼鏡の側面図を示している。図１６は、図１３に示された眼鏡の斜視図を示している。
【００２３】
図１３に示されているように、眼鏡３００は、フェイス３１０と、テンプル３２０と、テンプル３３０と、レンズ３４０と、レンズ３５０と、を具備している。テンプル３２０およびテンプル３３０は、フェイス３１０の外面で互いに交差するように配置されることができる。さらに詳細には、テンプル３２０は、レンズ３４０およびレンズ３４０の中心領域３４１に隣接し、さらにレンズ３５０の一部の上に配置されることができる。同様に、テンプル３３０は、レンズ３５０およびレンズ３５０の中心部分３５１に隣接し、さらにレンズ３４０の一部の上に配置されることができる。図１３に示されているように、テンプル３２０は、フェイス３１０とテンプル３３０との間に配置される。あるいは、テンプル３３０は、フェイス３１０とテンプル３２０との間に配置されてもよい。
【００２４】
図１７は、図１に示された眼鏡の一部の斜視図を示している。さらに詳細には、図１７は、テンプル１２０が枢結されるフェイス１１０の端部分１１２を示している。図１７の矢印によって示されているように、テンプル１２０は、開いた構成から折り畳んだ構成に眼鏡１００を変化させるために、フェイス１１０の外面の方へ、下方向に回転することができる。枢軸１２５は、折り畳んだ構成から開いた構成に移動する場合、または逆の場合に、テンプル１２０が中心にして枢動する軸を示している。図１７によって示されていないが、眼鏡１００は、図１７に示された位置に戻すようにテンプル１２０を配置することによって、折り畳んだ構成から開いた構成に戻すことができる。
【００２５】
フェイス１１０の端部分１１２は、フェイス１１０の回転制限部分１１３、１１４を含んでいる。図１７に示されているように、回転制限部分１１３はフェイス１１０にあるレッジ（ledge）（または機械的ストップ）であり、回転制限部分１１４はフェイス１１０の外面から突出している肩である。回転制限部分１１３は、開いた構成時にテンプル１２０が維持することができる一番上の位置を規定する。さらに詳細には、テンプル１２０は、テンプル１２０が枢軸１２５を中心にして回転するとき、回転制限部分１１３と接触する部分１２３を含む。
【００２６】
回転制限部分１１４は、折り畳んだ構成時にテンプル１２０が維持することができる一番上の位置（すなわち、それを越えたさらなる移動を制限する位置）を規定する。さらに詳細には、テンプル１２０は、テンプル１２０が枢軸１２５を中心にして回転するとき、回転制限部分１１４と接触する部分１２１を含む。テンプル部分１２０が折り畳んだ構成から開いた構成に移動するとき、テンプル１２０はたとえば、開いた構成から折り畳んだ構成に変更する間、図１７に示された位置からフェイス１１０の外面まで約１７０°回転することができる。
【００２７】
図１８は、本発明の別の実施形態による眼鏡の一部の斜視図を示している。眼鏡４００は、フェイス４１０およびテンプル４４０を具備している。フェイス４１０は、端部分４１２を含む。テンプル４２０は、枢軸４２５を中心にしてフェイス４１０に枢結される。図１８に示されているように、テンプル４２０は、開いた構成から折り畳んだ構成までテンプル４２０を移動するために、枢軸４２５を中心にして上方向に回転することができる。フェイス４１０は、回転制限部分４１３、４１４を含む。回転制限部分４１３、４１４はそれぞれ、フェイス４１０にあるレッジおよびフェイス１１０の外面から突出している肩であり、これらは、基本的に図１７に示されている構成の鏡像である。
【００２８】
回転制限部分４１３は、開いた構成時にテンプル４２０が維持することができる一番下の位置を規定する。さらに詳細には、テンプル４２０は、テンプル４２０が枢軸４２５を中心にして回転するとき、回転制限部分４１３と接触する部分４２３を含む。回転制限部分４１４は、折り畳んだ構成時にテンプル４２０が維持することができる一番下の位置を規定する。さらに詳細には、テンプル４２０は、テンプル４２０が枢軸４２５を中心にして回転するとき、回転制限部分４１４と接触する部分４２１を含む。
【００２９】
図１９は、本発明の別の実施形態による眼鏡の一部の斜視図を示している。図１９に示されているように、眼鏡５００は、フェイス５１０およびテンプル５２０を具備している。フェイス５１０は、テンプル５２０が枢軸５２５を中心にして枢結される端部分５１２を含む。フェイス５１０の端部分５１２はまた、保持部分５１６、５１７（突出部として示される）も具備している。テンプル５２０は、保持部分５２６、５２７（凹部として示される）を具備している。この保持部分５２６、５２７はそれぞれ、保持部分５１６、５１７と相補的に嵌合する。テンプル５２０は上方向または下方向のいずれかに回転し、テンプル５２０が開いた構成であるとき、保持部分５１６、５１７はテンプルアームを一定の位置に一時的に係止（または嵌合）することができる。２つの保持部分５１６、５１７が図１９に示されているが、別の実施形態では単独の保持部分（たとえば、単独の突出部）および単独の相補的な保持部分（たとえば、単独の凹部）が具備される。あるいは、ほとんどの任意の数の保持部分が可能である。また、図１９に示されている保持部分は半円形の断面を有するように示されているが、たとえば、矩形または三角形の保持部分（たとえば、突出部）の断面および相補的な矩形または三角形の保持部分（たとえば、凹部）の断面などの他の形状も可能であることを留意されたい。保持部分の対（図１９に示されている２つ）は、回転制限部分（図１７および／または図１８に示されている）と組合せられてもよいことをさらに留意されたい。
【００３０】
図２０および２１は、図１に示された眼鏡のヒンジ部分の組立図を示している。図２０に示されているように、フェイス１１０の端部分１１１は、ヒンジ部分１６０を含む。ヒンジ部分１６０は、外部回転支持部分（たとえば、トラック）１６１と、内部回転支持部分（たとえば、トラック）１６２と、保持部分（たとえば、凹部）１６３と、中心部分１６４と、を具備している。図２１に示されているように、テンプル１３０は、ヒンジ部分１７０を含む。ヒンジ部分１７０は、外部ポスト１７１と、内部ポスト１７２と、アーム１７３と、を具備している。テンプル１３０のヒンジ部分１７０は、フェイス１１０のヒンジ部分１６０と嵌合して、枢軸１２５を規定する。テンプル１３０は、開いた構成から（たとえば図５に示されているように）テンプル１３０がフェイス１１０の外面に隣接して位置している折り畳んだ構成まで枢軸１２５を中心にして回転することができる。
【００３１】
図２２は、図２０の線２２−２２に沿ったヒンジ部分の断面図を示している。図５０は、図２０の線５０−５０に沿ったヒンジ部分の断面図を示している。図２２および５０に示されているように、外部ポスト１７１は外部回転支持部分１６１と嵌合し、内部ポスト１７２は中心部分１６４と嵌合する。取付け機構１７７は、ヒンジ部分１６０およびヒンジ部分１７０を共に取付けることができる。取付け機構１７７は、たとえば、枢軸１２５に沿って配置されたネジであってもよく、それによってヒンジ部分１６０およびヒンジ部分１７０を取付けることができる。あるいは、取付け機構１７７は、たとえば、枢軸１２５に沿って配置されたネジ山のないピンであってもよい。このようなピンは、たとえば、ピンがヒンジ部分１６０、１７０の取付けを維持するように、作製中に加熱されてもよい。
【００３２】
テンプル１３０が、たとえば、開いた構成から折り畳んだ構成に移動する場合、または逆の場合に、アーム１７３は内部回転支持部分１６２に沿って進むことができる。アーム１７３は、保持部分１６３と相補的に嵌合することができるため、開いた構成または折り畳んだ構成においてテンプル１３０の位置を一時的に固定する。言い換えれば、開いた構成または折り畳んだ構成にあるとき、アーム１７３は、保持部分１６３内部に保持され、それによって、一時的に係止された位置からテンプル１３０が移動しないようにする。軸付勢力（axial biasing force）は、たとえば、テンプル１３０が枢軸１２５に沿ってわずかに移動することを許容する。この軸付勢力を克服することによって、アーム１７３は、保持部分１６３から離れるように移動させることができ、それによって、テンプル１３０を開いた構成または折り畳んだ構成から開放することができる。
【００３３】
内部回転支持部分１６２と接触して進むアーム１７３の表面は、たとえば、丸みを帯びた凸面（たとえば、半円形の断面）を有していてもよい。そのような構成において、保持部分１６３は、相補的な凹面を有してもよい。あるいは、アーム１７３および保持部分１６３は、たとえば、直角の角を有するなどの他の形状であってもよい。
【００３４】
図２３は、本発明の実施形態による眼鏡のヒンジ部分の組立図を示している。図２３に示されているように、眼鏡６００は、フェイス６１０の端部分６１１およびテンプル６３０を具備している。端部分６１１は、外部回転支持部分（たとえば、トラック）６６１および内部回転支持部分（たとえば、トラック）６６２を有するヒンジ部分６６０を含む。ヒンジ部分６６０は、内部回転支持部分６６２内部に保持部分１６３が存在しない点を除き、図２０〜２２に関して述べたものと類似である。その代わりに、端部分６１１は、外部回転支持部分６６１および内部回転支持部分６６２の外側に保持部分（たとえば凹部）６６３を具備している。テンプル６３０は、テンプル６３０からフェイス６１０の端部分６１１に対して突出する保持部分（たとえば突出部）６７４、６７５を具備している。テンプル６３０が開いた構成に配置されるとき、保持部分６７５が保持部分６６３に一時的に係止（または嵌合）する。テンプル６３０が折り畳んだ構成に配置されるとき、保持部分６７４が保持部分６６３に一時的に係止（または嵌合）する。他の実施形態において、単独の保持部分のみがテンプル内部に含まれる。図２３はテンプル６３０に関するヒンジ部分のみを示しているが、類似のヒンジ部分はフェイス６１０に枢結される他のテンプル（図示せず）に関しても存在してもよい。２つの保持部分のセットのみが図２３に示されているが、任意の適切なサイズの任意の数のそのような保持部分のセットが、任意の適切な位置に存在してもよい。
【００３５】
図２４は、本発明の別の実施形態による眼鏡のヒンジ部分の組立図を示している。図２４に示されているように、眼鏡７００は、フェイス７１０の端部分７１１およびテンプル７３０を具備している。端部分７１１は、保持部分（たとえば刻み目）７６３を備えた内部回転支持部分（たとえば、トラック）７６２を有するヒンジ部分７６０を具備している。テンプル７３０は、アーム７７３がその上に配置される外部ポスト７７１を具備している。外部ポスト７７１は内部回転支持部分７６２に嵌合し、アーム７７３は嵌合する保持部分７６２と一時的に係止（または嵌合）する。テンプル７３０が開いた構成から折り畳んだ構成（またはその逆）に移動するとき、テンプル７３０の位置を一時的に係止することができる。したがって、テンプル７３０は、つめ車型の動きによって（with a ratchet-type motion）移動することができ、それによって、開いた構成、折り畳んだ構成およびその両方の間の位置にテンプル７３０の位置を一時的に係止することができる。
【００３６】
図２５は、本発明の別の実施形態による眼鏡のヒンジ部分の組立図を示している。図２５に示されているように、眼鏡８００は、フェイス８１０の端部分８１１およびテンプル８３０を具備している。端部分８１１は、回転支持部分（たとえば、ウェル）８６２およびテンションばね（tension spring）８６５を有するヒンジ部分８６０を具備している。テンションばね８６５の一端を回転支持部分８６２内の位置に固着することができ、テンションばね８６５の他端をテンプル８３０上の位置に固着することができる。開いた構成から折り畳んだ構成へのテンプル８３０の移動が始まると、テンションばね８６５は、さらなる外部印加力を加えることなく、テンプル８３０を折り畳んだ構成に移動させるために、回転力を供給することができる。言い換えれば、開いた構成においてテンプル８３０を軽く叩くことによって、テンションばね８６５は、テンプル８３０を折り畳んだ構成に自動的に折り畳ませる。機械的ストップ８３３によって、開いた構成においてテンプル８３０の移動を制御することができる。図２５に示された実施形態は、本願明細書に記載された他のヒンジの実施形態と組合せてもよい。図２５に示されたヒンジは開いた構成から折り畳んだ構成に自動的に折り畳むテンプルに関連しているが、代替のヒンジは、折り畳んだ構成から開いた構成にテンプルを自動的に開くように構成されてもよいことを留意されたい。
【００３７】
図２６は、本発明の別の実施形態による眼鏡のヒンジ部分の組立図を示している。図２６に示されているように、眼鏡９００は、フェイス９１０の端部分９１１およびテンプル９３０を具備している。端部分９１１は、回転支持部分（たとえば、ウェル）９６２および回転支持部分（たとえばチャネル）９６６を有するヒンジ部分９６０を具備している。回転支持部分９６６は、保持部分（たとえば、凹部）９６７、９６８を含む。テンプル９３０は、保持部分（たとえば突出部）９７３がその上に配置されるポスト９７１を具備している。テンプル９３０が開いた構成から折り畳んだ構成に移動するとき、テンプル９３０の保持部分９７３は回転支持部分９６６内部に移動し、保持部分９６８に一時的に係止（または嵌合）する。同様に、テンプル９３０が折り畳んだ構成から開いた構成に移動するとき、テンプル９３０の保持部分９７３はチャネル９６６内部に移動し、保持部分９６７に一時的に係止（または嵌合）する。
【００３８】
図２７は、本発明の実施形態による眼鏡の一部の上面図を示している。図２７に示されているように、眼鏡１０００は、フェイス１０１０の端部分１０１２およびテンプル１０２０を具備している。端部分１０１２はヒンジ部分ボール１０６０を具備し、テンプル１０２０は、ヒンジ部分ボール１０６０が嵌合するソケット１０７０を具備している。したがって、ヒンジ部分ボール１０６０およびソケット１０７０は、ボールソケット型ヒンジを成し、開いた構成から折り畳んだ構成（およびその逆）に移動するとき、テンプル１０２０が枢動することができる。テンプル１０２０は、回転制限部分（たとえば、カラー）１０７１を含み、これはボールソケット型ヒンジが回転することができる範囲を規定する。言い換えれば、ボールソケット型ヒンジは、回転制限部分１０７１によって規定される円錐内において複数の枢軸を中心にして回転することができる。
【００３９】
図２８は、本発明の実施形態による眼鏡の一部の上面図を示している。図２８に示されているように、眼鏡１１００は、フェイス１１１０の端部分１１１２およびテンプル１１２０を具備している。テンプル１１２０は、端部分１１１２に連結されるエルボピン１１７１を具備している。テンプル１１２０は、開いた構成から折り畳んだ構成（およびその逆）に移動するとき、枢軸１１２５を中心にして枢動することができる。たとえば、ピン１１７１がフェイス１１１０の孔内部に回転することができるように、リベット頭部またはキャップ（図示せず）によって、フェイス１１１０の孔内部にピン１１７１を保持することができる。
【００４０】
図２９は、本発明の別の実施形態による、折り畳んだ構成における眼鏡の一部の上面図を示している。図３０は、開いた構成における図２９に示された眼鏡の一部の上面図を示している。眼鏡１２００は、フェイス１２１０の端部分１２１２およびテンプル１２２０を具備している。テンプル１２２０は、枢軸１２２５を中心にしてフェイス１２１０に枢結される。テンション部材１２８０はまた、枢軸１２２５を中心にしてテンプル１２２０およびフェイス１２１０に連結される。テンション部材１２８０は、たとえば、ばねであってもよく、枢軸１２２５に沿って張力を供給する。テンション部材１２８０は、テンプル１２２０が折り畳んだ構成から開いた構成に移動されるとき、枢軸１２２５に沿ってテンプル１２２０を引き下ろす。
【００４１】
別の方法を挙げれば、テンション部材１２８０は、開いた構成と折り畳んだ構成との間で移動するとき、テンプル１２２０を枢軸１２２５の異なる点に沿って移動させることができる。さらに詳細には、端部分１２１２は、接触部分１２１３および接触部分１２１４を含む。接触部分１２１３、１２１４の位置は、枢軸１２２５から異なる点に平行である。接触部分１２１４は、凹部１２１５を含む。テンプル１２２０が折り畳んだ構成を成しているとき、テンプル１２２０は接触部分１２１４と接触し、テンプル１２２０の一部１２２１が保持部分（たとえば凹部）１２１５に一時的に係止（または嵌合）される。テンプルが開いた構成を成しているとき、テンプル１２２０は接触部分１２１３と接触する。テンション部材１２８０により、折り畳んだ構成を成しているとき、テンプル１２２０を枢軸１２２５に沿って押し出すことができ、開いた構成を成しているとき、テンプル１２２０を枢軸１２２５に沿って下ろすことができる。
【００４２】
図３１は、本発明の別の実施形態による眼鏡の一部の上面図を示している。図３１に示されているように、眼鏡１３００は、テンプル１３２０およびフェイス１３１０の端部分１３１３を具備している。テンプル１３２０は、枢軸１３２５に沿って端部分１３１３に枢結される。
【００４３】
図３２は、本発明の別の実施形態による眼鏡の一部の上面図を示している。図３２に示されているように、眼鏡１４００は、テンプル１４２０およびフェイス１４１０の端部分１４１３を具備している。テンプル１４２０は、枢軸１４２５に沿って端部分１４１３に枢結される。
【００４４】
上述の実施形態は一般にテンプルをフェイスの端部分に枢結するための単独のヒンジ連結に関連しているが、２つ以上のヒンジ連結も可能である。たとえば、テンプルをフェイスの端部分に枢結するために２つのヒンジ連結を用いてもよく、それによって、テンプルを開いた構成とテンプルがフェイスの外面にある折り畳んだ構成との間で可動にすることができる。以下の実施形態に示されているように、たとえば、対応する２つの枢軸が平行でない場合に、そのようなデュアルヒンジ（ｄｕａｌ  ｈｉｎｇｅ）はテンプルをフェイスの端部分に枢結することができる。２つのヒンジ連結は、テンプルの異なる位置に配置することができ、または近くに配置することができる。
【００４５】
図３３は、本発明の実施形態による、デュアルヒンジを有する眼鏡の一部の斜視図を示している。図３３に示されているように、眼鏡１５００は、フェイス１５１０と、レンズ１５４０と、テンプル部分１５２０、１５３０と、を有する。テンプル部分１５２０は、ヒンジ１５６０によって枢軸１５２５に沿ってフェイス１５１０に枢結される。テンプル部分１５２０は、ヒンジ１５２３によって枢軸１５２４に沿ってテンプル部分１５２１に枢結される。開いた構成から折り畳んだ構成への移動時に、テンプル部分１５２１がテンプル部分１５２０の内面または外面に平行かつ隣接するように、枢軸１５２４に沿ってテンプル部分１５２１を移動することができる。そのとき、テンプル部分１５２０、１５２１がフェイス１５１０の外面に隣接するように、枢軸１５２５に沿ってテンプル部分１５２１を移動することができる。
【００４６】
図３３に示されるテンプルおよびフェイスは類似の弧度を有するが、そうでない場合の別の実施形態も可能である。たとえば、図４８は、本発明の実施形態による、異なる弧度を有する眼鏡フェイスおよびテンプルの一部の上面図を示している。図４８に示されているように、テンプル部分３０３０、３０３１は、折り畳んだ構成時に、テンプル部分３０１０（３０３１）の少なくとも一部はフェイス３０１０の一部に実質的に隣接しているように構成される。この実施形態は、テンプル部分が比較的小さい弧度または弧度がゼロの場合の例を示している。
【００４７】
図４９は、本発明の別の実施形態による、異なる弧度を有する眼鏡フェイスおよびテンプルの一部の上面図を示している。図４９に示されているように、テンプル部分３１３０、３１３１は、折り畳んだ構成時に、両方のテンプル部分３１３０、３１３１の少なくとも一部がフェイス３０１０の一部に実質的に隣接しているように構成される。
【００４８】
図３４は、本発明の別の実施形態による、デュアルヒンジを有する眼鏡の一部の斜視図を示している。眼鏡１６００は、フェイス１６１０と、レンズ１６４０と、テンプル部分１６２０、１６３０と、を有する。テンプル部分１６２０は、ヒンジ１６６０によって枢軸１６２５に沿ってフェイス１６１０に枢結される。テンプル部分１６２０は、ヒンジ１６２３によって枢軸１６２４に沿ってテンプル部分１６２１に枢結される。図３３に示された実施形態と同様に、開いた構成から折り畳んだ構成への移動時に、テンプル部分１６２１がテンプル部分１６２０の上面または下面に平行かつ隣接するように、枢軸１６２４に沿ってテンプル部分１６２１を移動することができる。そのとき、テンプル部分１６２０、１６２１がフェイス１６１０の外面に隣接するように、枢軸１６２５に沿ってテンプル部分１６２１を移動することができる。
【００４９】
図３５は、本発明の別の実施形態による、デュアルヒンジを有する眼鏡の一部の斜視図を示している。眼鏡１７００は、フェイス１７１０と、レンズ１７４０と、テンプル部分１７２０、１７３０と、を有する。テンプル部分１７２０は、枢軸１７２４に沿ってテンプル部分１７２１に枢結される。テンプル部分１７２１は、枢軸１７２５に沿ってフェイス１７１０に枢結される。開いた構成から折り畳んだ構成への移動時に、枢軸１７２４に沿ってテンプル部分１７２０をたとえば約１８０°移動することができる。したがって、テンプル部分１７２０がフェイス１７１０の外面に隣接するように、枢軸１７２５に沿ってテンプル部分１７２１を移動することができる。図３３および３５に示されたデュアルヒンジの実施形態とは異なり、眼鏡１７００の枢軸１７２４、１７２５は、近くに位置し、交差することができることを留意されたい。
【００５０】
図３６は、本発明の別の実施形態による、デュアルヒンジを有する眼鏡の一部の正面図を示している。眼鏡１８００は、フェイス１８１０と、レンズ１８４０、１８５０と、テンプル部分１８２０、１８２１、１８３０、１８３１と、を有する。テンプル部分１８２０は、枢軸１８２４に沿ってテンプル部分１８２１に枢結される。テンプル部分１８２１は、枢軸１８２５に沿ってフェイス１８１０に枢結される。テンプル部分１８３０は、枢軸１８３４に沿ってテンプル部分１８３１に枢結される。テンプル部分１８３１は、枢軸１８３５に沿ってフェイス１８１０に枢結される。開いた構成から折り畳んだ構成への移動時に、枢軸１８２５に沿ってテンプル部分１８２１をたとえば約１８０°移動することができる。その結果、テンプル部分１８２１がレンズ１８４０に隣接し、フェイス１８１０の周囲の一部を完成する。同様に、枢軸１８３５に沿ってテンプル部分１８３１をたとえば約１８０°移動することができる。その結果、テンプル部分１８３１がレンズ１８５０に隣接し、フェイス１８１０の周囲の一部を完成する。このとき、枢軸１８２４に沿ってテンプル部分１８２０を移動することができ、枢軸１８３４に沿ってテンプル部分１８３０を移動することができる。当然のことながら、枢軸１８２４、１８３４に沿ってテンプル部分１８２０、１８３０をそれぞれ、任意の順序または同時に移動することができる。
【００５１】
この実施形態において、折り畳んだ構成時には、テンプル部分１８２０、１８３０は、フェイス１８１０の外面に隣接する際に、対向する側のレンズ１８５０、１８４０に隣接することを留意されたい。言い換えれば、折り畳んだ構成時には、（正面図の全体像から見て）右のテンプル部分１８２０は左のレンズ１８５０に隣接し、左のテンプル部分１８３０は右のレンズ１８４０に隣接する。他の実施形態において、各テンプル部分が両方のレンズの一部に隣接してもよいことを留意されたい。
【００５２】
上述の実施形態の多くは、フェイスの外面にテンプルを保持することができる付加的な特徴を備えることができる。さらに詳細には、上述の眼鏡の多くは、フェイスの外面にテンプルを一時的に係止（または嵌合または支持）することができる保持部分（たとえば、突出部または高い構造物（an elevated structure(s)））を有することができる。そのような保持部分は、特定の実施形態に関する折り畳んだ構成において、テンプルの特定の位置に応じて、フェイスの外面のさまざまな位置に、配置することができる。
【００５３】
図３７は、本発明の実施形態による、保持部分を有する眼鏡の一部の正面図を示している。眼鏡は、フェイス１９１０と、テンプル１９２０と、保持部分（たとえば高い構造物）１９９０と、を具備している。図３７に示されているように、保持部分１９９０は、たとえば、フェイス１９１０の外面にある突出部であってもよい。テンプル１９２０が開いた構成から折り畳んだ構成にフェイス１９１０に関して枢動されるとき、テンプル１９２０は、保持部分１９９０によってフェイス１９１０の所定の位置に一時的に係止（または嵌合）されてもよい。
【００５４】
図３８は、本発明の別の実施形態による、保持部分を有する眼鏡の一部の正面図を示している。眼鏡は、フェイス２０１０と、テンプル２０２０と、保持部分２０９０と、を具備している。ここでは、保持部分２０９０は、図３７に示された眼鏡１９００の場合より、フェイス２０１０のブリッジにより近い位置にある。
【００５５】
図３９は、本発明のさらに別の実施形態による、保持部分を有する眼鏡の一部の正面図を示している。眼鏡は、フェイス２１１０と、テンプル２１２０と、保持部分２１９０、２１９１と、を具備している。図３９に示されているように、保持部分２１９０、２１９１は、たとえば、ブリッジ付近でフェイス２１１０の外面にある突出部であってもよい。テンプル２１２０が開いた構成から折り畳んだ構成にフェイス２１１０に関して枢動されるとき、テンプル２１２０は、保持部分２１９０、２１９１との間のフェイス２１１０の所定の位置に一時的に係止（または嵌合）することができる。保持部分２１９１はテンプル２１２０の上方向への移動を一時的に制限し、保持部分２１９０はテンプル２１２０の下方向への移動を一時的に制限する。
【００５６】
図４０は、本発明の実施形態による、保持部分を有する眼鏡の一部の正面図を示している。眼鏡は、フェイス２２１０と、テンプル２２２０、２２３０と、保持部分２２９０、２２９１と、を具備している。ここでは、保持部分２２９０、２２９１は、フェイス２２１０の上部分に位置している。テンプル２２３０が開いた構成から折り畳んだ構成にフェイス２２１０に関して枢動されるとき、保持部分２２９０、２２９１の間のフェイス２２１０上の所定の位置にテンプル２２３０を一時的に係止（または嵌合）することができる。保持部分２２９１はテンプル２２３０の上方向への移動を一時的に制限し、保持部分２２９０はテンプル２２３０の下方向への移動を一時的に制限する。
【００５７】
図４１は、本発明の実施形態による、保持部分を有する眼鏡の一部の正面図を示している。眼鏡は、フェイス２３１０と、テンプル２３２０、２３３０と、保持部分２３９０と、を具備している。ここでは、保持部分２３９０は、フェイス２３１０の下部分に位置している。テンプル２３３０が開いた構成から折り畳んだ構成にフェイス２３１０に関して枢動されるとき、保持部分２３９０によって所定の位置にテンプル２３３０を一時的に係止（または嵌合）することができる。
【００５８】
図３７〜４１は１つのテンプルに関する保持部分を示しているが、残るテンプルも類似の保持部分を備えることができる。２つのテンプルに関する保持部分は同一である必要はないが、図３７〜４１に示されている保持部分の組合せであってもよく、単独の保持部分またはストップと組合せてもよい。
【００５９】
メガネフレームのさまざまな位置について保持部分を配置することができる方法と同様に、保持部分をテンプル自体に配置することもできる。したがって、眼鏡が折り畳んだ構成を成しているとき、互いに対するテンプルの相対的な位置を維持することができる。
【００６０】
図４２は、本発明の実施形態による、折り畳んだ構成のテンプルの斜視図を示している。図４２に示されているように、テンプル２４２０、２４３０は、連動する曲線形状（an interlocking,curved shape）であってもよい。さらに詳細には、テンプル２４２０は凹形の外面を、テンプル２４３０は凸形の内面を有してもよい。テンプル２４２０、２４３０が重なり合う構成（たとえば、図５に示された構成など）を成しているとき、テンプルは共に一時的に係止（または嵌合）されることができる。
【００６１】
図４３は、本発明の実施形態による、折り畳んだ構成のテンプルの斜視図を示している。図４３に示されているように、テンプル２５２０、２５３０は、相補的な凹部および突出部を備えていてもよい。さらに詳細には、テンプル２５２０は凹部２５２１、テンプル２５３０は保持部分（たとえば、突出部）２５３１を有してもよい。テンプル２５２０、２５３０が重なり合う構成（たとえば、図５に示された構成など）を成しているとき、テンプルを共に一時的に係止（または嵌合）することができる。
【００６２】
図４４は、本発明の実施形態による、折り畳んだ構成のテンプルの斜視図を示している。図４４に示されているように、テンプル２６２０、２６３０は、連動する曲線形状であってもよい。さらに詳細には、テンプル２６２０は凹形の上面を、テンプル２６３０は凸形の下面を有してもよい。テンプル２６２０、２６３０が隣接した配置（たとえば、図９に示された配置など）を成しているとき、テンプルを共に一時的に係止（または嵌合）することができる。別の実施形態において、テンプルを、図４４に示された配置からスイッチした、隣接した配置にすることができる。
【００６３】
図４５は、本発明の実施形態による、折り畳んだ構成のテンプルの斜視図を示している。図４５に示されているように、テンプル２７２０、２７３０は、相補的な保持部分（たとえば、それぞれ突出部および凹部）を備えていてもよい。さらに詳細には、テンプル２７２０は保持部分（たとえば突出部）２７２１、２７２２を、テンプル２７３０は保持部分（たとえば凹部）２７３１を有していてもよい。テンプル２７２０、２７３０が交差する配置（たとえば、図１３に示された配置など）を成しているとき、テンプルを共に一時的に係止（または嵌合）することができる。別の実施形態において、テンプルを、図４５に示された配置からスイッチした、交差した配置にすることができる。
【００６４】
上述の実施形態の多くは法線軸（normal axis）に対応する枢軸を中心にして枢結されるテンプルを示しているが、他の実施形態も可能である。たとえば、テンプルの形状が実質的に変形可能でない場合には、テンプルはフェイスの弧度と類似の弧度を有していてもよい。したがって、テンプルが開いた構成から折り畳んだ構成に移動されるとき、実質的にテンプルを変形することなく、フレームの外面に隣接する位置にテンプルを配置することができる。図４６および４７は、そのような実施形態の例を示している。
【００６５】
図４６は、本発明の実施形態による、フレームの法線とは異なる枢軸を有する眼鏡の上面図を示している。眼鏡２８００は、フレーム２８１０と、テンプル２８２０と、テンプル２８３０と、を具備している。テンプル２８２０は、枢軸２８２５を中心にしてフレーム２８１０に枢結される。テンプル２８３０は、枢軸２８３５を中心にしてフレーム２８１０に枢結される。図４６に示されているように、枢軸２８２５、２８３５はそれぞれ、フェイス２８１０の対応する位置における法線軸２８２４、２８３４とは異なる。角度ａは、法線軸２８３４と枢軸２８３５からテンプル２８３０上の点までの線分２８３１との間で規定される。角度ｂは、枢軸２８３５と線分２８３１との間で規定される。眼鏡２８００の場合には、角度ａは、角度ｂより大きい。テンプル２８２０に関して、類似の角度が存在する。テンプル２８２０、２８３０はフェイス２８１０と類似の弧度を有することを留意されたい。したがって、テンプル２８２０、２８３０が開いた構成から折り畳んだ構成に移動されるとき、実質的にテンプルを変形することなく、フレーム２８１０の外面に隣接する位置にテンプル２８２０、２８３０を配置することができる。
【００６６】
図４７は、本発明の別の実施形態による、フレームの法線とは異なる枢軸を有する眼鏡の上面図を示している。眼鏡２９００は、フレーム２９１０と、テンプル２９２０と、テンプル２９３０と、を具備している。テンプル２９２０は、枢軸２９２５を中心にしてフレーム２９１０に枢結される。テンプル２９３０は、枢軸２９３５を中心にしてフレーム２９１０に枢結される。図４７に示されているように、枢軸２９２５、２９３５はそれぞれ、フェイス２９１０の対応する位置における法線軸２９２４、２９３４とは異なる。角度ａ’は、法線軸２９３４と枢軸２９３５からテンプル２９３０上の点までの線分２９３１との間で規定される。角度ｂ’は、枢軸２９３５と線分２９３１との間で規定される。眼鏡２９００の場合には、角度ａ’は、角度ｂ’より小さい。テンプル２９２０に関して、類似の角度が存在する。テンプル２９２０、２９３０はフェイス２９１０と類似の弧度を有することを留意されたい。したがって、テンプル２９２０、２９３０が開いた構成から折り畳んだ構成に移動されるとき、実質的にテンプルを変形することなく、フレーム２９１０の外面に隣接する位置にテンプル２９２０、２９３０を配置することができる。
【００６７】
他の実施形態において、テンプルが変形可能である場合には、テンプルは、フェイスの弧度と類似の弧度である必要はない。法線軸とテンプルとの間の角度が枢軸とテンプルとの間の角度より大きいそのような実施形態において、テンプルが開いた構成から折り畳んだ構成に移動されるとき、フェイスの外面の周囲に適合するようにテンプルを変形することができる。法線軸とテンプルとの間の角度が枢軸とテンプルとの間の角度より小さいそのような実施形態において、開いた構成時に、利用者の頭部の周囲に適合するようにテンプルを外側に向けて変形することができる。
【００６８】
図５１〜５９は、重なっているか、平行かまたは交差しているかのいずれかのテンプルを有する折り畳んだ構成のワイヤフレーム、鼻当てまたはシールドを有する眼鏡の別の実施形態を示している。さらに詳細には、図５１は、重なっているテンプルを有する折り畳んだ構成のワイヤフレームを有する眼鏡の斜視図を示している。図５２は、重なっているテンプルを有する折り畳んだ構成の鼻当てを有する眼鏡の斜視図を示している。図５３は、重なっているテンプルを有する折り畳んだ構成のシールドを有する眼鏡の斜視図を示している。
【００６９】
図５４は、平行なテンプルを有する折り畳んだ構成のワイヤフレームを有する眼鏡の斜視図を示している。図５５は、平行なテンプルを有する折り畳んだ構成の鼻当てを有する眼鏡の斜視図を示している。図５６は、平行なテンプルを有する折り畳んだ構成のシールドを有する眼鏡の斜視図を示している。
【００７０】
図５７は、交差したテンプルを有する折り畳んだ構成のワイヤフレームを有する眼鏡の斜視図を示している。図５８は、交差したテンプルを有する折り畳んだ構成の鼻当てを有する眼鏡の斜視図を示している。図５９は、交差したテンプルを有する折り畳んだ構成のシールドを有する眼鏡の斜視図を示している。
【００７１】
図６０および６１は、本発明の別の実施形態による、開いた状態の眼鏡の一部の上面図および斜視図を示している。図６０に示されているように、眼鏡３２００は、フェイス３２１０およびテンプル３２３０を具備している。フェイス３２１０は、レンズ３２４０、３２５０および端部分３２１１を含む。端部分３２１１は、テンプル３２３０が摺動可能に連結されるチャネルを含む。テンプル３２３０は、ストップ部分３２３１を含む。
【００７２】
図６２は、折り畳んだ構成における図６０に示された眼鏡の上面図を示している。開いた構成から折り畳んだ構成に移動するとき、または逆のとき、テンプル３２３０は、端部分３２１１のチャネルを通って方向線３２２５に沿って摺動可能である。テンプル３２３０は、端部分３２１１のチャネル内部で摩擦嵌合を有してもよい。テンプル３２３０が端部分３２１１のチャネル内部を移動することができるように、この摩擦嵌合を抑えることができる。テンプル３２３０が折り畳んだ構成を成しているとき、テンプルは、フェイス１１０の外面に、レンズ３２４０、３２５０に隣接する位置に配置される。
【００７３】
テンプル３２３０のストップ部分３２３１は、テンプル３２３０が端部分３２１１のチャネル内部を摺動することができる終端を規定する形状（たとえば張り出した部分）を備えていてもよい。眼鏡３２００が開いた構成から折り畳んだ構成に移動するとき、ストップ部分３２３１は端部分３２１１のチャネル内部でテンプル３２３０の移動を停止させる。
【００７４】
眼鏡３２００は図６０〜６２には縁無し眼鏡として示されているが、他のタイプのフェイス（たとえば、シールドまたはワイヤフレーム）も可能である。このような別のタイプのフェイスの場合には、フェイスの端部分はたとえば、フェイスと一体形成されてもよい。さらに、本願明細書に記載されたさまざまな実施形態の多くは、図６０〜６２を参照して説明されたものと類似のフェイスに摺動連結されるテンプルを有する眼鏡と組合せることができる。
【００７５】
多くの代替の実施形態は、異なる眼鏡設計のさまざまな態様と組合せることが可能である。言い換えれば、以下に示した１つ以上の態様の任意の組合せが可能である。さらに詳細には、本願明細書に記載された異なる眼鏡構成要素の多くは、さまざまなタイプおよび種類の眼鏡を作製するために組合せてもよい。たとえば、テンプルおよびフェイスは、さまざまな形状を形成するために、一様または可変の相対厚さまたは薄さを備えていてもよい。テンプルは、たとえば、その長さに沿ってまっすぐであってもよく、または曲げまたは曲線を含んでもよい。耳部分は、湾曲していてもまっすぐであってもねじっていてもよい。耳部分の先端は、四角形、円形または先のとがった縁などのすべてのタイプの形状で終端することができる。フェイスは、レンズを完全に入れるフレームから構成されてもよく、レンズの小さい部分に取り付けられるだけであってもよい。たとえば、フェイスは、鼻のブリッジのみによって取り付けられる２枚のレンズから構成することも可能である。上述の実施形態は一般にフェイス側の上部分に取り付けられるテンプルを示しているが、テンプルはたとえばフェイスの上部分、中間部分または下部分などの任意の適切な位置でフェイスに取り付けられることができる。テンプルおよびフェイスは、たとえば、金属、ワイヤ、ゴムまたはプラスチックなどの任意の適切な材料から構成されることができる。テンプルおよびフェイスはまた、２つ以上の形状または材料を組合せて構成されてもよい。たとえば、テンプルは、部分的に厚いプラスチックおよび部分的に薄い金属であってもよい。眼鏡は、フェイスの内部に１枚以上のレンズを含んでもよい。レンズは、たとえば円形、楕円形、非対称な楕円形、三角形、六角形、八角形、斬新な形状（たとえば、ハート形および星形）、四角い角または丸みを帯びた角を有する四角形または矩形、または任意の適切な変形などの任意の適切な形状であってもよい。フェイスが存在せず、テンプルがレンズに直接取り付けられることができる場合には、１枚のレンズを有する実施形態が可能である。眼鏡フェイスは、鼻に接触するアタッチメントの有無のいずれであっても構成することができる。
【００７６】
本発明のさまざまな実施形態について上述してきたが、これらは例示のために過ぎず、限定するものとして示されたわけではないことを理解すべきである。したがって、本発明の広さ及び範囲は、上述の実施形態のいずれかに限定されるべきではなく、特許請求の範囲およびその等価物によってのみ定義されるべきである。
【００７７】
実施形態に関する先の説明は、当業者が本発明を利用することができるように提供されている。本発明はその実施形態に関して具体的に図示して説明したが、当業者は、本発明の精神および範囲を逸脱することなく、形態および詳細におけるさまざまな変更ができることを理解するであろう。
【図面の簡単な説明】
【００７８】
【図１】本発明の実施形態による、開いた構成の眼鏡の斜視図を示している。
【図２】図１に示された眼鏡の上面図を示している。
【図３】図１に示された眼鏡の側面図を示している。
【図４】図１に示された眼鏡の正面図を示している。
【図５】折り畳まれた構成における図１に示された眼鏡の正面図を示している。
【図６】折り畳まれた構成における図１に示された眼鏡の上面図を示している。
【図７】折り畳まれた構成における図１に示された眼鏡の側面図を示している。
【図８】折り畳まれた構成における図１に示された眼鏡の斜視図を示している。
【図９】本発明の別の実施形態による、折り畳まれた構成における眼鏡の正面図を示している。
【図１０】本発明の別の実施形態による、折り畳まれた構成における眼鏡の上面図を示している。
【図１１】本発明の別の実施形態による、折り畳まれた構成における眼鏡の側面図を示している。
【図１２】本発明の別の実施形態による、折り畳まれた構成における眼鏡の斜視図を示している。
【図１３】本発明のさらに別の実施形態による、折り畳まれた構成における眼鏡の正面図を示している。
【図１４】本発明のさらに別の実施形態による、折り畳まれた構成における眼鏡の上面図を示している。
【図１５】本発明のさらに別の実施形態による、折り畳まれた構成における眼鏡の側面図を示している。
【図１６】本発明のさらに別の実施形態による、折り畳まれた構成における眼鏡の斜視図を示している。
【図１７】図１に示された眼鏡の一部の斜視図を示している。
【図１８】本発明の別の実施形態による眼鏡の一部の斜視図を示している。
【図１９】本発明の別の実施形態による眼鏡の一部の斜視図を示している。
【図２０】図１に示された眼鏡のヒンジ部分の分解組立図を示している。
【図２１】図１に示された眼鏡のヒンジ部分の分解組立図を示している。
【図２２】図２０の線２２−２２に沿ったヒンジ部分の断面図を示している。
【図２３】本発明の実施形態による眼鏡のヒンジ部分の組立図を示している。
【図２４】本発明の別の実施形態による眼鏡のヒンジ部分の組立図を示している。
【図２５】本発明の別の実施形態による眼鏡のヒンジ部分の組立図を示している。
【図２６】本発明の別の実施形態による眼鏡のヒンジ部分の組立図を示している。
【図２７】本発明の別の実施形態による眼鏡の一部の上面図を示している。
【図２８】本発明の別の実施形態による眼鏡の一部の上面図を示している。
【図２９】本発明の別の実施形態による、折り畳まれた構成における眼鏡の一部の上面図を示している。
【図３０】開いた構成の図２９に示された眼鏡の一部の上面図を示している。
【図３１】本発明の別の実施形態による眼鏡の一部の上面図を示している。
【図３２】本発明の別の実施形態による眼鏡の一部の上面図を示している。
【図３３】本発明の別の実施形態による、デュアルヒンジを有する眼鏡の一部の斜視図を示している。
【図３４】本発明の別の実施形態による、デュアルヒンジを有する眼鏡の一部の斜視図を示している。
【図３５】本発明の別の実施形態による、デュアルヒンジを有する眼鏡の一部の斜視図を示している。
【図３６】本発明の別の実施形態による、デュアルヒンジを有する眼鏡の正面図を示している。
【図３７】本発明の別の実施形態による、テンプル保持具を有する眼鏡の一部の正面図を示している。
【図３８】本発明の別の実施形態による、テンプル保持具を有する眼鏡の一部の正面図を示している。
【図３９】本発明の別の実施形態による、テンプル保持具を有する眼鏡の一部の正面図を示している。
【図４０】本発明の別の実施形態による、テンプル保持具を有する眼鏡の一部の正面図を示している。
【図４１】本発明の別の実施形態による、テンプル保持具を有する眼鏡の一部の正面図を示している。
【図４２】本発明の実施形態による、折り畳んだ構成のテンプルの斜視図を示している。
【図４３】本発明の実施形態による、折り畳んだ構成のテンプルの斜視図を示している。
【図４４】本発明の実施形態による、折り畳んだ構成のテンプルの斜視図を示している。
【図４５】本発明の実施形態による、折り畳んだ構成のテンプルの斜視図を示している。
【図４６】本発明の実施形態による、フレームの法線とは異なる枢軸を有する眼鏡の上面図を示している。
【図４７】本発明の別の実施形態による、フレームの法線とは異なる枢軸を有する眼鏡の上面図を示している。
【図４８】本発明の実施形態による、異なる弧度を有する眼鏡フェイスおよびテンプルの一部の上面図を示している。
【図４９】本発明の別の実施形態による、異なる弧度を有する眼鏡フェイスおよびテンプルの一部の上面図を示している。
【図５０】図２０の線５０−５０に沿ったヒンジ部分の断面図を示している。
【図５１】重なっているテンプルを有する折り畳んだ構成のワイヤフレームを有する眼鏡の斜視図を示している。
【図５２】重なっているテンプルを有する折り畳んだ構成の鼻当てを有する眼鏡の斜視図を示している。
【図５３】重なっているテンプルを有する折り畳んだ構成のシールドを有する眼鏡の斜視図を示している。
【図５４】平行なテンプルを有する折り畳んだ構成のワイヤフレームを有する眼鏡の斜視図を示している。
【図５５】平行なテンプルを有する折り畳んだ構成の鼻当てを有する眼鏡の斜視図を示している。
【図５６】平行なテンプルを有する折り畳んだ構成のシールドを有する眼鏡の斜視図を示している。
【図５７】交差したテンプルを有する折り畳んだ構成のワイヤフレームを有する眼鏡の斜視図を示している。
【図５８】交差したテンプルを有する折り畳んだ構成の鼻当てを有する眼鏡の斜視図を示している。
【図５９】交差したテンプルを有する折り畳んだ構成のシールドを有する眼鏡の斜視図を示している。
【図６０】本発明の別の実施形態による、開いた眼鏡の一部の上面図を示している。
【図６１】本発明の別の実施形態による、開いた眼鏡の一部の斜視図を示している。
【図６２】折り畳んだ構成における図６０に示された眼鏡の上面図を示している。
【図１】
2010204684.tif 000003
【図２】
2010204684.tif 000004
【図３】
2010204684.tif 000005
【図４】
2010204684.tif 000006
【図５】
2010204684.tif 000007
【図６】
2010204684.tif 000008
【図７】
2010204684.tif 000009
【図８】
2010204684.tif 000010
【図９】
2010204684.tif 000011
【図１０】
2010204684.tif 000012
【図１１】
2010204684.tif 000013
【図１２】
2010204684.tif 000014
【図１３】
2010204684.tif 000015
【図１４】
2010204684.tif 000016
【図１５】
2010204684.tif 000017
【図１６】
2010204684.tif 000018
【図１７】
2010204684.tif 000019
【図１８】
2010204684.tif 000020
【図１９】
2010204684.tif 000021
【図２０】
2010204684.tif 000022
【図２１】
2010204684.tif 000023
【図２２】
2010204684.tif 000024
【図２３】
2010204684.tif 000025
【図２４】
2010204684.tif 000026
【図２５】
2010204684.tif 000027
【図２６】
2010204684.tif 000028
【図２７】
2010204684.tif 000029
【図２８】
2010204684.tif 000030
【図２９】
2010204684.tif 000031
【図３０】
2010204684.tif 000032
【図３１】
2010204684.tif 000033
【図３２】
2010204684.tif 000034
【図３３】
2010204684.tif 000035
【図３４】
2010204684.tif 000036
【図３５】
2010204684.tif 000037
【図３６】
2010204684.tif 000038
【図３７】
2010204684.tif 000039
【図３８】
2010204684.tif 000040
【図３９】
2010204684.tif 000041
【図４０】
2010204684.tif 000042
【図４１】
2010204684.tif 000043
【図４２】
2010204684.tif 000044
【図４３】
2010204684.tif 000045
【図４４】
2010204684.tif 000046
【図４５】
2010204684.tif 000047
【図４６】
2010204684.tif 000048
【図４７】
2010204684.tif 000049
【図４８】
2010204684.tif 000050
【図４９】
2010204684.tif 000051
【図５０】
2010204684.tif 000052
【図５１】
2010204684.tif 000053
【図５２】
2010204684.tif 000054
【図５３】
2010204684.tif 000055
【図５４】
2010204684.tif 000056
【図５５】
2010204684.tif 000057
【図５６】
2010204684.tif 000058
【図５７】
2010204684.tif 000059
【図５８】
2010204684.tif 000060
【図５９】
2010204684.tif 000061
【図６０】
2010204684.tif 000062
【図６１】
2010204684.tif 000063
【図６２】
2010204684.tif 000064
【手続補正書】
【提出日】平成22年6月7日(2010.6.7)
【手続補正１】
【補正対象書類名】特許請求の範囲
【補正対象項目名】全文
【補正方法】変更
【補正の内容】
【特許請求の範囲】
【請求項１】
第１の弓形部分、第２の弓形部分、第１の端部分、および第２の端部分を有するフェイスと、
前記フェイス内部に配置され、内面および外面を有する第１のレンズと、
前記フェイス内部に配置され、内面および外面を有する第２のレンズであって、前記第２のレンズの前記内面が、前記第１のレンズの前記内面と同じ前記フェイスの側にあり、前記第２のレンズの前記外面が、前記第１のレンズの前記外面と同じ前記フェイスの側にある第２のレンズと、
第１の弓形部分および第２の弓形部分を有し、前記フェイスの前記第１の端部分に連結され、折り畳んだ構成と開いた構成との間で回転可能である第１のテンプルと、
第１の弓形部分および第２の弓形部分を有し、前記フェイスの前記第２の端部分に連結され、折り畳んだ構成と開いた構成との間で回転可能である第２のテンプルと、
を具備し、
前記フェイスの前記第１の弓形部分がある曲率半径を有し、前記第１のテンプルの前記第１の弓形部分が、前記フェイスの前記第１の弓形部分の前記曲率半径に実質的に対応するある曲率半径を有し、
前記フェイスの前記第２の弓形部分がある曲率半径を有し、前記第１のテンプルの前記第２の弓形部分が、前記折り畳んだ構成において前記第１のテンプルが前記フェイスに実質的に隣接して配置されるように、前記フェイスの前記第２の弓形部分の前記曲率半径に実質的に対応するある曲率半径を有し、
前記第１のレンズの前記外面が、表面領域、中央領域、および中央点を有し、前記中央領域が、前記第１のレンズの前記外面の前記表面領域の半分である、表面領域を有し、かつ前記中央点を中心としており、前記第１のテンプルが前記折り畳んだ構成を成している際に前記中央領域の少なくとも一部が前記第１のレンズの前記内面の少なくとも一部と前記第１のテンプルの少なくとも一部との間に配置され、
前記第２のレンズの前記外面が、表面領域、中央領域、および中央点を有し、前記第２のレンズの前記中央領域が、前記第２のレンズの前記外面の前記表面領域の半分である、表面領域を有し、かつ前記中央点を中心としており、前記第１のテンプルが前記折り畳んだ構成を成している際に前記第２のレンズの前記中央領域の少なくとも一部が前記第２のレンズの前記内面と前記第１のテンプルとの間に配置される、装置。
【請求項２】
前記第１のテンプルが枢軸を中心にした回転に関して、前記フェイスの前記第１の端部分に枢結され、前記枢軸が前記枢軸に隣接する前記フェイス部分の中心線に実質的に垂直である、請求項１に記載の装置。
【請求項３】
前記第１のテンプルまたは前記第２のテンプルを実質的に変形することなく、前記第１のテンプルおよび前記第２のテンプルのそれぞれが折り畳んだ構成と開いた構成との間で可動である、請求項１に記載の装置。
【請求項４】
前記第１のテンプルが前記折り畳んだ構成を成しているとき、前記第１のテンプルが実質的に変形しない、請求項１に記載の装置。
【請求項５】
外縁を含む外面を有し、内面を有し、第１の端部分、前記第１の端部分の反対側にある第２の端部分、内面および外面を有する第１のレンズ開口部、および、内面および外面を有する第２のレンズ開口部を有し、前記外縁が前記第１の端部分に近接するフェイスと、
内面を規定する部分を有する第１のテンプルであって、前記フェイスの前記第１の端部分に連結され、前記第１のテンプル部分の前記内面が、妨害されることなく、かつ前記テンプルを実質的に変形することなく、前記フェイスの前記外縁を越えて移動することができるように折り畳んだ構成と開いた構成との間で可動である第１のテンプルと、
を具備し、
前記第１のレンズ開口部の前記外面の少なくとも一部が、前記第１のテンプルが前記折り畳んだ構成を成している際に前記第１のレンズ開口部の前記内面と前記第１のテンプルとの間に配置され、前記第２のレンズ開口部の少なくとも一部が、前記第１のテンプルが前記折り畳んだ構成を成している際に前記第２のレンズ開口部の前記内面と前記第１のテンプルとの間に配置され、前記第１のテンプルが、前記第１のテンプルが前記折り畳んだ構成を成している際に前記第１のレンズ開口部の前記外面および第２のレンズ開口部の前記外面に隣接する、眼鏡用のフレーム。
【請求項６】
前記第１のテンプルが、前記フェイスの前記第１の端部分に枢結される、請求項５に記載のフレーム。
【請求項７】
前記フェイスの前記第２の端部分に連結され、折り畳んだ構成と開いた構成との間で可動であり、前記折り畳んだ構成を成しているとき、前記フェイスの前記外面に隣接し、かつ前記フェイスの前記第２のレンズ開口部の中央領域に実質的に位置している、第２のテンプルをさらに具備する、請求項５に記載のフレーム。
【請求項８】
前記第１のテンプルが凹形の内面および凸形の外面を有する境界部分を有し、前記第２のテンプルが凹形の内面および凸形の外面を有する境界部分を有し、前記第１のテンプルおよび前記第２のテンプルが前記折り畳んだ構成を成しているときに、前記第１のテンプル境界部分および前記第２のテンプル境界部分が実質的に平行で重なっている、請求項７に記載のフレーム。
【請求項９】
前記第１のテンプルおよび前記第２のテンプルが前記折り畳んだ構成を成しているときに、前記第１のテンプルが前記第２のテンプル境界部分の一部と実質的に平行な部分を有する、請求項８に記載のフレーム。
【請求項１０】
前記第１のテンプルおよび前記第２のテンプルが前記折り畳んだ構成を成しているときに、前記第１のテンプル境界が前記第２のテンプル境界部分の一部の上に交差する部分を有する、請求項８に記載のフレーム。
【請求項１１】
前記フェイスに連結され、かつ前記第１のレンズ開口部内部に位置し、内面、外面、および中央領域を有する第１のレンズをさらに含み、前記折り畳んだ構成における前記第１のテンプルが、前記第１のレンズの前記外面に隣接し、かつ前記第１のレンズの前記中央領域に実質的に位置している、請求項５に記載のフレーム。
【請求項１２】
前記第１のテンプルが枢軸を中心にした回転に関して、前記フェイスの前記第１の端部分に枢結され、前記枢軸と前記第１の端部分の中心線との間で規定される第１の角度が、前記枢軸と前記第１のテンプル部分の中心線との間で規定される第２の角度より小さい、請求項５に記載のフレーム。
【請求項１３】
ある曲率半径を有する部分を有し、第１の端部分および前記第１の端部分の反対側にある第２の端部分を有するフェイスと、
前記フェイス内部に配置され、内面、外面、および中央部分を有する第１のレンズと、
前記フェイス内部に配置され、内面および外面を有する第２のレンズであって、前記第１のレンズの前記外面が、前記第２のレンズの前記外面と同じ前記フェイスの側にある第２のレンズと、
ある曲率半径を有する部分を有し、前記フェイスの前記第１の端部分に枢結される第１のテンプルと、
ある曲率半径を有する部分を有し、前記フェイスの前記第２の端部分に枢結される第２のテンプルと、
を具備し、
前記第１のテンプルおよび前記第２のテンプルがそれぞれ前記フェイスに対して折り畳んだ構成と開いた構成との間で可動であり、前記折り畳んだ構成を成しているとき、前記第１のテンプルが前記第１のレンズの前記外面および前記第２のレンズの前記外面の実質的な部分に実質的に隣接して配置され、かつそれらに沿って延在し、前記折り畳んだ構成を成しているとき、前記第２のテンプルが前記第２のレンズの前記外面および前記第１のレンズの前記外面の実質的な部分に実質的に隣接して配置され、かつそれらに沿って延在し、前記フェイス部分の前記曲率半径、前記第１のテンプル部分の前記曲率半径、および前記第２のテンプル部分の前記曲率半径は、互いに実質的に対応する、眼鏡用のフレーム。
【請求項１４】
前記第２のレンズが中央部分を有し、前記折り畳んだ構成における前記第２のテンプルが、前記第２のレンズの前記中央部分に実質的に位置している、請求項１３に記載のフレーム。
【請求項１５】
前記折り畳んだ構成における前記第１のテンプルが、前記第１のレンズの前記外面に実質的に隣接し、かつ前記第１のレンズの前記中央部分に実質的に位置している、請求項１３に記載のフレーム。
【請求項１６】
前記第１のテンプルまたは前記第２のテンプルを実質的に変形することなく、前記第１のテンプルおよび前記第２のテンプルのそれぞれが前記折り畳んだ構成と前記開いた構成との間で可動である、請求項１３に記載のフレーム。
【請求項１７】
前記第１のテンプルまたは前記第２のテンプルが前記折り畳んだ構成を成しているとき、前記第１のテンプルおよび前記第２のテンプルのそれぞれが実質的に変形しない、請求項１３に記載のフレーム。
【請求項１８】
第１の端部分、前記第１の端部分の反対側にある第２の端部分、および前記第１の端部分に隣接するレンズ境界部分を有するフェイスであって、前記フェイスの前記レンズ境界部分が内面および外面を有し、前記フェイスの前記レンズ境界部分の前記外面に位置する高い構造物を含むフェイスと、
前記フェイスの前記レンズ境界部分内部に配置され、内面、外面、および中央部分を有するレンズと、
前記フェイスの前記第１の端部分に枢結されるテンプルであって、折り畳んだ構成と開いた構成との間で可動であり、前記折り畳んだ構成における前記テンプルが、前記フェイスの前記外面上の前記フェイスの前記高い構造物と係合し、それにより、前記折り畳んだ構成における前記テンプルが、前記レンズの前記外面に隣接し、かつ前記レンズの前記中央部分に実質的に位置している、装置。
【請求項１９】
前記フェイスの前記レンズ境界部分の前記外面がブリッジ部分を含み、前記フェイスの前記高い構造物が前記フェイスの前記ブリッジ部分に配置される、請求項１８に記載の装置。
【請求項２０】
前記第１のテンプルを実質的に変形することなく、前記第１のテンプルが前記折り畳んだ構成と前記開いた構成との間で可動であり、前記第１のテンプルが前記折り畳んだ構成を成しているとき、前記第１のテンプルが実質的に変形しない、請求項１８に記載の装置。
【外国語明細書】
2010204684000001.pdf